(57)【要約】【課題】アース線を必要な長さに分岐する作業及びアース箇所に接続する作業が簡単且つ容易に行え、作業性の向上を図ることができるアース線付き電線を提供する。【解決手段】アース線付き電線１を構成するアース線３の分岐側始端部を手で保持して外部絶縁材４の外側に引っ張り出すとともに、アース線３の分岐側に被覆された外部絶縁材４を溝部５に沿って長さ方向に引き裂いて、アース線３を必要に応じて適切な長さだけ引っ張り出して分岐した後、アース線付き電線１から分岐したアース線３の端部を、所定のアース箇所に接続する。【選択図】  図２
2007026802.tif 000002
【特許請求の範囲】
【請求項１】
絶縁材で被覆された導線に沿って、絶縁材で被覆されたアース線を配置するとともに、該導線及びアース線の外面を外部絶縁材により一体的に被覆してなるアース線付き電線であって、
上記アース線側に被覆された外部絶縁材の外面に、該アース線に沿って外部絶縁材の引き裂きが許容される凹部を長さ方向に形成した
アース線付き電線。
【請求項２】
上記凹部を、上記アース線を中心として外部絶縁材の外面に対して円周方向に所定間隔に隔てて複数条形成した
請求項１に記載のアース線付き電線。
【請求項３】
上記凹部を、上記外部絶縁材の外面に対して長さ方向に所定間隔に隔てて複数形成した
請求項１又は２に記載のアース線付き電線。
【請求項４】
上記アース線の分岐側始端部を、上記外部絶縁材の外方に向けて引っ張りが許容される長さ突出した
請求項１乃至３のいずれか一つに記載のアース線付き電線。
【請求項５】
上記アース線を、該アース線であることを視覚的に認識することができる色に着色した
請求項１乃至４のいずれか一つに記載のアース線付き電線。
【請求項６】
上記アース線側に被覆された外部絶縁材を、該アース線の存在を視覚的に認識することができる色に着色した
請求項１乃至５のいずれか一つに記載のアース線付き電線。
【発明の詳細な説明】
【技術分野】
【０００１】
この発明は、例えば電力供給、各機器の接続等に用いられるアース線付き電線に関する。
【背景技術】
【０００２】
従来、上述のようなアース線付き電線としては、例えば複数の電力用導線とアース用導線とを並列して外部被覆材で被覆するとともに、電力用導線とアース用導線との間に被覆された外部被覆材の肉厚が薄くなるように断面８字状に形成して、電力用導線とアース用導線とに引き裂いて分離する特許文献１の絶縁電線があるが、アース用導線を電力用導線から分離してから、アース用導線の導体に被覆された外部被覆材をカッタ等で切れ目を入れて剥ぎ取らなければならず、導体及び絶縁被覆材を損傷させないように剥ぎ取るのに熟練を要するため、外部被覆材の剥ぎ取り作業に手間及び時間が掛かる。
【０００３】
また、並列配置した一対の各導線の間にアース線を配置し、各導線を絶縁材で被覆してなる各第１ケーブルと、アース線を絶縁材で被覆してなる第２ケーブルとの接合部分をカッタで切り離し、各第１ケーブルと第２ケーブルとに分離する特許文献２の溶接機用給電ケーブルがあるが、特許文献２の溶接機用給電ケーブルは、アース線が内蔵された第２ケーブルを各第１ケーブルの間から分離すると、ケーブル全体の本数が３本に増えるため、第２ケーブルをアース箇所に接続する際に、２本の各第１ケーブルが作業の邪魔になりやすく、各第１ケーブルを１本に束ねた状態でアースの接続作業を行わなければならない。
【０００４】
また、外部絶縁材で被覆された一対の各導線に沿って、絶縁材で被覆されたアース線をベルト状の止め具で固定する方法もあるが、アース線を、一対の各導線に沿って止め具で固定する作業と、止め具による固定を解除して分岐する作業とに手間及び時間が掛かる。
【特許文献１】実開平７−１４５１３号公報
【特許文献２】特開平１０−２４９５４４号公報
【発明の開示】
【発明が解決しようとする課題】
【０００５】
この発明は上記問題に鑑み、アース線を必要な長さに分岐する作業及びアース箇所に接続する作業が簡単且つ容易に行え、作業性の向上を図ることができるアース線付き電線の提供を目的とする。
【課題を解決するための手段】
【０００６】
請求項１に記載した発明のアース線付き電線は、絶縁材で被覆された導線に沿って、絶縁材で被覆されたアース線を配置するとともに、該導線及びアース線の外面を外部絶縁材により一体的に被覆してなるアース線付き電線であって、上記アース線側に被覆された外部絶縁材の外面に、該アース線に沿って外部絶縁材の引き裂きが許容される凹部を長さ方向に形成したアース線付き電線であることを特徴とする。
【０００７】
この発明によると、アース線側に被覆された外部絶縁材を凹部に沿って長さ方向に引き裂くか、或いは、アース線を引っ張り出しながら、アース線側に被覆された外部絶縁材を凹部に沿って引き裂く等して、その引き裂かれた凹部を、アース線の引っ張り出しが許容される間隔に強制的に拡張して、外部絶縁材の中からアース線を必要な長さ引っ張り出して分岐するとともに、アース線付き電線から分岐したアース線の端部を、所定のアース箇所に接続する。また、アース線の引き出し寸法と対応する長さだけ引き裂いた外部絶縁材を、アース線の分岐側終端部と対応する部分で引き千切るか、切断具で切除する等して分離してもよい。
【０００８】
上記アース線付き電線の電線とは、例えば比較的線径が太い電線、比較的線径が細い電線を含むものであるが、実施例のような断面形状や線径を有する電線のみに限定されるものではない。また、導線及びアース線の各芯線は、例えば銅、金等の導電性を有する金属で構成することができる。また、凹部は、例えば線条の溝部、ミシン目、凹状の罫線等で構成することができる。
【０００９】
また、絶縁材及び外部絶縁材は、例えばエチレン酢酸ビニル共重合体（ＥＶＡ）、ポリエチレンテレフタレート（ＰＥＴ）、ポリ塩化ビニル（ＰＶＣ）、ポリプロピレン（ＰＰ）、ポリエチレン、ポリオレフィン系エラストマー、エチレンプロピレンゴム、塩素化ポリエチレンゴム、クロロスルフォン化ポリエチレンゴム等の絶縁性及び柔軟性、耐熱性、耐水性を有する単一又は複合した合成樹脂で構成することができる。
【００１０】
請求項２に記載した発明のアース線付き電線は、上記請求項１に記載の構成と併せて、上記凹部を、上記外部絶縁材の外面に対して円周方向に所定間隔に隔てて複数条形成したことを特徴とする。
【００１１】
この発明によると、例えば２条、３条、４条等の複数条の各凹部を外部絶縁材の外面に形成すれば、外部絶縁材の所望する部分に形成された凹部を引き裂いて、アース線を所望する方向に向けて引っ張り出すことができ、接続箇所の向きや位置等に応じて、アース線の引っ張り出す方向を選択することができる。また、凹部を、アース線を中心として、例えば上下方向、斜め方向等の対称位置に形成してもよい。
【００１２】
請求項３に記載した発明のアース線付き電線は、上記請求項１又は２に記載の構成と併せて、上記凹部を、上記外部絶縁材の外面に対して長さ方向に所定間隔に隔てて複数形成したことを特徴とする。
【００１３】
この発明によると、外部絶縁材の凹部を、アース線の引き出し寸法と対応する長さだけ引き裂いて分岐するので、外部絶縁材が必要以上に引き裂かれることがない。また、凹部の間隔は、所定等間隔、任意間隔に設定することができる。
【００１４】
請求項４に記載した発明のアース線付き電線は、上記請求項１乃至３のいずれか一つに記載の構成と併せて、上記アース線の分岐側始端部を、上記外部絶縁材の外方に向けて引っ張りが許容される長さ突出したことを特徴とする。
【００１５】
この発明によると、外部絶縁材の外面に突出するアース線の分岐側始端部を手で引っ張り出せば、アース線側に被覆された外部絶縁材を凹部に沿って引き裂くことができる。
【００１６】
請求項５に記載した発明のアース線付き電線は、上記請求項１乃至４のいずれか一つに記載の構成と併せて、上記アース線を、該アース線であることを視覚的に認識することができる色に着色したことを特徴とする。
【００１７】
この発明によると、導線側に被覆された外部絶縁材と異なる色に、アース線に被覆された絶縁材自体又は外面を、例えば緑色、黄色、黄緑色、その他の色等の単色又は複数を組み合わせた色に着色すれば、アース線を外部絶縁材の中から引き出したとき、導線側に被覆された外部絶縁材と異なる色であるため、アース線であることを視覚的に即認識することができる。
【００１８】
請求項６に記載した発明のアース線付き電線は、上記請求項１乃至５のいずれか一つに記載の構成と併せて、上記アース線側に被覆された外部絶縁材を、該アース線の存在を視覚的に認識することができる色に着色したことを特徴とする。
【００１９】
この発明によると、導線側に被覆された外部絶縁材と異なる色に、アース線側に被覆された外部絶縁材自体又は外面を、上記のような単色又は複数を組み合わせた色に着色すれば、アース線を外部絶縁材の中から引き出さなくても、アース線の存在及び配置を外部から視覚的に認識することができる。
【発明の効果】
【００２０】
この発明によれば、アース線側に被覆された外部絶縁材を凹部に沿って引き裂きながら、外部絶縁材の中からアース線のみを必要な長さ引っ張り出して分岐するので、外部絶縁材を剥ぎ取るような手間及び作業が省け、アース線を必要に応じて適切な長さに分岐する作業が簡単且つ容易に行える。
【００２１】
また、アース線を分岐しても、複数の各導線が外部絶縁材により一体的に覆われているため、電線全体の本数が２本以上に増えることがなく、アース線の接続作業が妨げられないように、各導線を１本に束ねたまま取り扱うことができ、アース線を接続する作業が簡単且つ容易に行える。また、外部絶縁材を引き裂いても、各導線に対して外部絶縁材が一体的に被覆されているため、外部絶縁材が分離又は剥ぎ取られることがなく、外部絶縁材の廃棄物を発生させることなく、アース線を分岐することができる。
【発明を実施するための最良の形態】
【００２２】
この発明は、アース線を必要な長さに分岐する作業及びアース箇所に接続する作業が簡単且つ容易に行えるという目的を、アース線側に被覆された外部絶縁材を凹部に沿って引き裂き、該外部絶縁材の中からアース線を必要な長さ引っ張り出して分岐することで達成した。
【実施例】
【００２３】
この発明の一実施例を以下図面に基づいて詳述する。  
図面は、外部絶縁材を剥ぎ取るような手間及び作業が省け、アース線を分岐する作業が簡単且つ容易に行えるアース線付き電線の第１の実施例を示し、図１及び図２に於いて、このアース線付き電線１は、複数本束ねた各芯線２ａ…を絶縁材２ｂにより被覆してなる一対（２本１組）の各導線２，２を並列配置し、左側又は右側のいずれか一方に配置された導線２に沿って、複数本束ねた各芯線３ａ…を絶縁材３ｂにより被覆してなるアース線３を並列配置し、各導線２，２及びアース線３の外面全長を、後述する合成樹脂製の外部絶縁材４（シース）により一体的に被覆して構成している。
【００２４】
なお、上記芯線２ａ，３ａは、例えば導電性を有する線条の導体を複数本束ねたもの、或いは、線状又は棒状を有する１本の導体等で構成される。また、絶縁材２ｂ，３ｂ及び外部絶縁材４は、例えばエチレン酢酸ビニル共重合体（ＥＶＡ）、ポリエチレンテレフタレート（ＰＥＴ）、ポリ塩化ビニル（ＰＶＣ）、ポリプロピレン（ＰＰ）、ポリエチレン、ポリオレフィン系エラストマー、エチレンプロピレンゴム、塩素化ポリエチレンゴム、クロロスルフォン化ポリエチレンゴム等の絶縁性及び柔軟性、耐熱性、耐水性を有する単一又は複合した合成樹脂で構成される。
【００２５】
上記アース線３側に被覆された外部絶縁材４の側部外面には、端面側から見て断面形状が略Ｖ字状の溝部５を、アース線３の外面と対向して厚み方向（又は径方向）に形成するとともに、アース線３に沿って外部絶縁材４の側部外面に対して長さ方向に連続して１条形成している。
【００２６】
また、溝部５は、外部絶縁材４をアース線３に沿って引き裂くことができる深さ及び形状に形成されるとともに、溝部５の谷部とアース線３の絶縁材３ｂとの間に被覆された外部絶縁材４の肉厚を、手で引き裂くことが可能な厚みに形成している。
【００２７】
なお、溝部５を、例えば略Ｕ字状、略凹字状等の略Ｖ字状以外の断面形状に形成するか、外部絶縁材４の長さ方向に対して任意間隔又は所定等間隔に隔てて部分的に形成してもよい。実施例では、凹部を、溝部５で構成しているが、例えばミシン目、凹状の罫線等で構成してもよい。
【００２８】
また、各導線２，２及びアース線３の全体に被覆された外部絶縁材４と、各導線２，２に被覆された各絶縁材２ｂ，２ａと、アース線３に被覆された絶縁材３ｂとを、例えば一対の各導線２，２側と、個々の各導線２，２と、アース線３とに視覚的に認識又は見分けることができる色に着色している。
【００２９】
実施例では、各導線２，２及びアース線３の全体に被覆された外部絶縁材４を灰色に着色し、各導線２，２に被覆された各絶縁材２ｂ，２ａを白色と黒色とにそれぞれ着色し、アース線３に被覆された絶縁材３ｂを緑色に着色しているが、例えば緑色、黄色、黄緑色等の単色又は複数色を組み合わせた色に着色してもよく、各導線２，２及びアース線３を外部絶縁材４の中から引き出したとき、各導線２，２及びアース線３を、各導線２，２に被覆された各絶縁材２ｂ，２ａと、アース線３に被覆された絶縁材３ｂとに着色された色により視覚的に認識又は見分けることができる。
【００３０】
また、各導線２，２及びアース線３の全体に被覆された外部絶縁材４と、各導線２，２に被覆された各絶縁材２ｂ，２ａと、アース線３に被覆された絶縁材３ｂとを視覚的に見分けることが可能であれば、上記以外の任意の色に変更してもよい。
【００３１】
なお、各導線２，２及びアース線３の全体に被覆された外部絶縁材４と、各導線２，２に被覆された各絶縁材２ｂ，２ａの外面と、アース線３に被覆された絶縁材３ｂの外面とを、上記のような視覚的に認識することができる色に着色してもよい。
【００３２】
また、アース線３に被覆された絶縁材３ｂのみを、各導線２，２及びアース線３の全体に被覆された外部絶縁材４と、各導線２，２に被覆された各絶縁材２ｂ，２ａとの見分けが容易に行えるような色に着色してもよい。
【００３３】
図３は、上記アース線付き電線１を、２相式の差込プラグ６とコネクタ７との接続に用いた例を示し、各導線２，２の一端を電力供給用の差込プラグ６に接続し、各導線２，２の他端を機器接続用のコネクタ７に接続している。また、コネクタ７には、アース線７ａを接続している。
【００３４】
且つ、アース線３の分岐側始端部は、外部絶縁材４で被覆することなく差込プラグ６側部に引き出されるともに、外部絶縁材４の外方に向けて手による引っ張りが許容されるように予め所定長さだけ突出している。また、アース線３の他端は機器接続用のコネクタ７に接続している。なお、上記２相式の差込プラグ６を、３相式のプラグで構成してもよく、また、コネクタ７を、２相式又は３相式のプラグで構成してもよい。
【００３５】
また、図４に示すように、アース線３の一端を差込プラグ６に接続し、アース線３の他端を、手による引っ張りが許容されるようにコネクタ７側部に予め突出しておいてもよい。また、図５に示すように、アース線３の両端を、手による引っ張りが許容されるように差込プラグ６側部及びコネクタ７側部にそれぞれ突出しておいてもよい。
【００３６】
図６は、上記アース線付き電線１を、２相式の差込プラグ６と３相式の受けプラグ８との接続に用いた例を示し、アース線３の一端を、手による引っ張りが許容されるように差込プラグ６側部に予め突出し、アース線３の他端を３相式の受けプラグ８に接続している。また、アース線３の他端を、手による引っ張りが許容されるように受けプラグ８側部に予め突出しておくか、アース線３の両端を、差込プラグ６，８側部にそれぞれ突出しておいてもよい。
【００３７】
なお、実施例では、アース線３に被覆された絶縁材３ｂを、アース線３であることを視覚的に認識することができる単色又は複数を組み合わせた色に着色しているが、各導線２，２側に被覆された外部絶縁材４と、アース線３側に被覆された外部絶縁材４とを、各導線２，２及びアース線３の存在を外部から視覚的に認識することができる色に着色してもよい。
【００３８】
例えば各導線２，２側に被覆された外部絶縁材４を灰色に着色し、アース線３側に被覆された外部絶縁材４を緑色に着色すれば、アース線３を外部絶縁材４の中から引き出さなくても、各導線２，２及びアース線３の存在を外部絶縁材４に着色された色により視覚的に認識又は見分けることができ、アース線３が所望する側に配置されるようにアース線付き電線１を配線する作業が簡単且つ容易に行え、作業性が向上する。
【００３９】
また、アース線３の存在を示すような文字、記号等の識別表示を、アース線３に被覆された絶縁材３ｂの外面又はアース線３側に被覆された外部絶縁材４の外面に付設するか、上記色と併用して付設することもできる。
【００４０】
図示実施例は上記の如く構成するものにして、以下、アース線付き電線１を構成するアース線３の分岐方法を説明する。
【００４１】
先ず、図２、図３に示すように、差込プラグ６に接続された各導線２，２を一方の手で保持し、差込プラグ６側部に突出するアース線３の分岐側始端部を他方の手で保持して、各導線２，２側とアース線３側とを互いに分岐される方向に、アース線３の分岐側始端部を手で引っ張る。
【００４２】
且つ、アース線３を外部絶縁材４の外側に向けて引っ張り出すときの牽引力により、アース線３の分岐側に被覆された外部絶縁材４を溝部５に沿って長さ方向に引き裂きながら、外部絶縁材４の中からアース線３のみを必要な長さ引っ張り出して分岐する。
【００４３】
また、アース線３の引き出し寸法と対応する長さだけ引き裂いた外部絶縁材４を、アース線３の分岐側終端部と対応する部分で引き千切るか、切断具で切除する等して、分離するか、廃棄処分してもよい。
【００４４】
次に、アース線付き電線１から必要な長さだけ分岐したアース線３の端部は、図示省略する所定のアース箇所に接続する。また、外部絶縁材４を、アース線３の引き出し寸法と対応する長さだけ引き裂いてから、アース線３を必要な長さ引っ張り出して分岐することもできる。
【００４５】
以上のように、アース線付き電線１を構成するアース線３側に被覆された外部絶縁材４を溝部５に沿って引き裂きながら、外部絶縁材４の中からアース線３のみを必要な長さ引っ張り出して分岐するので、現場において、外部絶縁材４を切除具等で切除するか、分離又は剥ぎ取るような手間及び作業が省け、アース線３の導体３ａ及び絶縁材３ｂを損傷させることなく、アース線３を必要に応じて適切な長さに分岐する作業が簡単且つ容易に行え、作業性の向上を図ることができる。
【００４６】
また、アース線３を分岐しても、各導線２，２は外部絶縁材４により一体的に覆われているため、電線全体の本数が２本以上に増えることがなく、アース線３の接続作業が妨げられないように、各導線２，２を１本に束ねたまま取り扱うことができ、アース線３をアース箇所に接続する作業が簡単且つ容易に行える。また、外部絶縁材４を溝部５に沿って引き裂いても、各導線２，２に対して外部絶縁材４が一体的に被覆されているため、外部絶縁材４が分離又は剥ぎ取られることがなく、外部絶縁材４の廃棄物を発生させることなく、アース線３を分岐することができる。
【００４７】
また、各導線２，２及びアース線３の全体に被覆された外部絶縁材４を灰色に着色し、各導線２，２に被覆された各絶縁材２ｂ，２ａを白色と黒色とにそれぞれ着色し、アース線３に被覆された絶縁材３ｂを緑色に着色しているので、各導線２，２及びアース線３を外部絶縁材４の中から引き出したとき、各導線２，２及びアース線３を、各導線２，２に被覆された各絶縁材２ｂ，２ａと、アース線３に被覆された絶縁材３ｂとに着色された色により視覚的に認識又は見分けることができ、各導線２，２を差込プラグ６及びコネクタ７に接続する作業と、アース線３をアース箇所に接続する作業とが正確に行える。
【００４８】
図７、図８は、溝部５を、アース線３を中心として外部絶縁材４の外面に対して上下対称に形成したアース線付き電線１の第２の実施例を示し、アース線３の分岐側始端部を手で保持して外部絶縁材４の外側に引っ張り出すとともに、外部絶縁材４の上部外面（又は下部外面）に形成した一方の溝部５を引き裂きながら引っ張り出して分岐するので、上記実施例と同等の作用及び効果を奏することができる。また、外部絶縁材４を一方の溝部５に沿って引き裂いても、他方の溝部５は繋がっているため、アース線付き電線１から外部絶縁材４が分離されるようなことがなく、アース線３の分岐時に廃棄物が発生しない。
【００４９】
なお、溝部５を、アース線３を中心として、例えば上下方向、斜め方向等の対称位置に形成してもよい。また、アース導線３を、外部絶縁材４の中から引っ張り出すことが可能であれば、溝部５を、外部絶縁材４の上部外面又は下部外面の何れか一方の面に形成してもよい。
【００５０】
図９、図１０は、溝部５を、アース線３を中心として外部絶縁材４の外面に対して円周方向に所定間隔（又は所定角度）に隔てて複数条形成したアース線付き電線１の第３の実施例を示し、外部絶縁材４の外面に、３条の各溝部５…を円周方向に所定間隔に隔てて形成し、外部絶縁材４の所望する部分に形成された溝部５を引き裂きながら、外部絶縁材４の中からアース線３のみを所望する方向に向けて必要な長さ引っ張り出して分岐するので、上記実施例と略同等の作用及び効果を奏することができる。また、接続箇所の向きや位置等に応じて、アース線３の引っ張り出す方向を選択することができる。
【００５１】
図１１、図１２は、アース線３を、並列配置した各導線２，２の谷間部分に近接又は沿って配線したアース線付き電線１の第４の実施例を示し、溝部５を、アース線３を中心として外部絶縁材４の外面に対して左右対称に形成し、外部絶縁材４の右側外面（又は左側外面）に形成した一方の溝部５を引き裂きながら、外部絶縁材４の中からアース線３のみを必要な長さ引っ張り出して分岐するので、上記実施例と略同等の作用及び効果を奏することができる。また、アース線３は、略中央部に集合配置された複数本の各導線２…に近接又は沿って配線してもよい。
【００５２】
図１３は、溝部５を、外部絶縁材４の外面に対して長さ方向に所定等間隔に隔てて複数形成したアース線付き電線１の第５の実施例を示し、外部絶縁材４の溝部５を、アース線３の引き出し寸法と対応する長さだけ引き裂いて、外部絶縁材４の中からアース線３を必要な長さ引っ張り出して分岐するので、前記実施例と同等の作用及び効果を奏することができるとともに、外部絶縁材４が必要以上に引き裂かれることがなく、外部絶縁材４を、アース線３の引き出し寸法と対応する長さだけ正確且つ確実に引き裂くことができる。
【００５３】
或いは、外部絶縁材４の溝部５をアース線３の引き出し寸法と対応する長さだけ先に引き裂いてから、アース線３を必要とする長さだけ引っ張り出して分岐するもよい。また、溝部５を、任意間隔に隔てて形成してもよい。なお、第５実施例のアース線付き電線１の構成は、第２乃至第４の実施例のアース線付き電線１にも適用することができる。
【００５４】
この発明の構成と、上述の実施例との対応において、  
この発明の凹部は、実施例の溝部５に対応するも、  
この発明は、上述の実施例の構成のみに限定されるものではなく、請求項に示される技術思想に基づいて応用することができ、多くの実施の形態を得ることができる。
【００５５】
また、アース線付き電線は、比較的線径が太い電線、比較的線径が細い電線を含んでいるが、実施例のような断面形状や線径を有する電線のみに限定されるものではなく、実施例以外の電線で構成することもできる。
【産業上の利用可能性】
【００５６】
本発明のアース線付き電線の構成は、例えばケーブル、コード等の電線にも利用することができる。
【図面の簡単な説明】
【００５７】
【図１】アース線付き電線の第１の実施例を示す断面斜視図。
【図２】アース線の引っ張り出し状態を示す断面斜視図。
【図３】アース線をプラグ側部に突出した例を示す平面図。
【図４】アース線をコネクタ側部に突出した例を示す平面図。
【図５】アース線をプラグ及びコネクタの側部に突出した例を示す平面図。
【図６】アース線を各プラグ側部に突出した例を示す平面図。
【図７】アース線付き電線の第２の実施例を示す断面斜視図。
【図８】図７のアース線の引っ張り出し状態を示す断面斜視図。
【図９】アース線付き電線の第３の実施例を示す断面斜視図。
【図１０】図９のアース線の引っ張り出し状態を示す断面斜視図。
【図１１】アース線付き電線の第４の実施例を示す断面斜視図。
【図１２】図１１のアース線の引っ張り出し状態を示す断面斜視図。
【図１３】アース線付き電線の第５の実施例を示す側面図。
【符号の説明】
【００５８】
１…アース線付き電線
２…導線
３…アース線
４…外部絶縁材
５…溝部
【図１】
2007026802.tif 000003
【図２】
2007026802.tif 000004
【図３】
2007026802.tif 000005
【図４】
2007026802.tif 000006
【図５】
2007026802.tif 000007
【図６】
2007026802.tif 000008
【図７】
2007026802.tif 000009
【図８】
2007026802.tif 000010
【図９】
2007026802.tif 000011
【図１０】
2007026802.tif 000012
【図１１】
2007026802.tif 000013
【図１２】
2007026802.tif 000014
【図１３】
2007026802.tif 000015